(57)【要約】【課題】イワガキ等の貝類の養殖に最適で、引き揚げ作業も比較的容易に行い得、かつ低コスト化も図り得る養殖施設を提供する。【解決手段】沿岸の外洋域に重力式魚礁部とその上側の浮体式養殖施設部とからなる養殖施設を沈設することで、設置海域の利用範囲を広げると共に、重力式魚礁部による蝟集効果と浮体式養殖施設部による本来の養殖効果のみならず回遊性魚類の蝟集効果とを合わせ、これらの相乗効果により効果的な増殖施設を提供する。また、浮体式養殖施設部を水深の中層域に設置することで、付着生物が低減でき、イワガキ等の養殖対象水産生物の餌料である植物プランクトンを安定して供給することができると共に、回収時の引き揚げ作業も比較的容易に行える。さらに、浮体式養殖施設部を中層域に設置したので、漁船や作業船等の走行に支障をきたすこともなく、海面を有効に利用することができる。【選択図】図２
2004222650.tif 000002
【特許請求の範囲】
【請求項１】
重力式魚礁部と、これに連結された上側の浮体式養殖施設部とからなることを特徴とする養殖施設。
【請求項２】
浮体式養殖施設部と前記重力式魚礁部とを着脱自在に連結する連結手段が設けられたことを特徴とする請求項１に記載の養殖施設。
【請求項３】
前記連結手段が、浮体式養殖施設部の下端に形成された係止部と、該係止部を着脱自在に連結するよう前記重力式魚礁部に形成された係止受部とから構成されたことを特徴とする請求項２に記載の養殖施設。
【請求項４】
浮体式養殖施設部は、養殖ロープと、これに間隔をおいて取り付けられた複数の採苗器と、前記ロープの上端に取り付けられた浮力体と、前記ロープの下端に形成され前記連結手段の一部を構成する係止部とから構成されたことを特徴とする請求項２又は３に記載の養殖施設。
【請求項５】
前記浮体式養殖施設部が中層域の水深に設置されることを特徴とする請求項１〜４のいずれかに記載の養殖施設。
【請求項６】
前記重力式魚礁部が沿岸の外洋域に沈設されることを特徴とする請求項１〜５のいずれかに記載の養殖施設。
【請求項７】
前記採苗器は稚貝を付着するものであることを特徴とする請求項４に記載の養殖施設。
【請求項８】
前記稚貝がイワガキ稚貝であることを特徴とする請求項７に記載の養殖施設。
【請求項９】
前記重力式魚礁部が鋼製の人工魚礁である請求項１〜８のいずれかに記載の養殖施設。
【請求項１０】
沿岸の外洋域に重力式魚礁部とその上側の浮体式養殖施設部とからなる養殖施設を沈設し、浮体式養殖施設部を中層域の水深に設置して対象水産生物を養殖することを特徴とする養殖方法。
【請求項１１】
沿岸の外洋域に重力式魚礁部とその上側の浮体式養殖施設部とからなる養殖施設を沈設し、浮体式養殖施設部を重力式魚礁部に対して着脱自在に連結し、浮体式養殖施設部で対象水産生物を養殖後に、該浮体式養殖施設部を回収することを特徴とする養殖方法。
【請求項１２】
前記浮体式養殖施設部に複数の採苗器と浮力体とを備え、前記採苗器に付着させた稚貝を飼育し、稚貝の成長後に前記浮体式養殖施設部の係止部を前記重力式魚礁部の係止受部から取り外し、前記浮力体の浮力により前記浮体式養殖施設部を海面に浮き上がらせて回収することを特徴とする請求項１１に記載の養殖方法。
【請求項１３】
浮体式養殖施設部を海中で重力式魚礁部に連結することを特徴とする請求項１１又は１２に記載の養殖方法。
【請求項１４】
浮体式養殖施設部を回収後に養殖貝類を収穫し、収穫後に採苗器に稚貝を付着させた浮体養殖施設部を海中に沈めて再び重力式魚礁部に連結することを特徴とする請求項１１〜１３のいずれかに記載の養殖方法。
【請求項１５】
浮体式養殖施設部を海中で重力式魚礁部に連結する際に、下端に浮力調整用の重りを取り付けて作業を行うことを特徴とする請求項１３又は１４に記載の養殖方法。
【請求項１６】
前記採苗器に付着させる稚貝がイワガキである請求項１０〜１５のいずれかに記載の養殖方法。
【発明の詳細な説明】
【０００１】
【発明の属する技術分野】
本発明は、沿岸域の比較的浅い海域で設置する養殖施設およびその養殖方法に関するものである。
【０００２】
【従来の技術】
イワガキは青森県陸奥湾以南の日本海、太平洋の両沿岸域に広く分布しているが、漁獲物として水揚げされて地域としては、秋田県、山形県、鳥取県などの日本海沿岸に限られている。その漁獲量は３県合わせて３００〜６００トン程度（昭和６１年〜平成８年）であるとされている。その他の府県では、イワガキとして統計上の数字が上がっていない。
【０００３】
イワガキの棲息域は内湾から外洋にかけての岩礁域であり、内湾域にのみ分布するマガキとは異なる。従って、生活できる海水の塩分濃度もマガキとイワガキでは異なり、狭い範囲でしか生活できないことが知られている。また、イワガキの分布水深は約２０ｍまでであること知られている。
【０００４】
従来のイワガキ養殖施設は、図９に示すように、マガキ養殖と同じく、筏や延縄等の養殖施設１００から垂下した養殖ロープ１０１に、イワガキ稚貝を付着した採苗器１０２をある間隔で取り付け、ロープ下端部に「おもり」１０３を吊るし安定させる垂下式養殖方法が採用されている。図９において、１０４は固定アンカー、１０５は係留ロープである。
【０００５】
一方、養殖事業とは別に、水産基盤整備事業（旧沿整事業）は、沿岸漁業の安定的な発展と供給の増大に寄与することを目的に、昭和５１年度から公共事業として実施されているが、その主要なものとして人工魚礁等の魚礁設置事業が挙げられる。
【０００６】
人工魚礁は、大きく分けて「重力式」と「浮体式」の２つに分類でき、その機能や構造特性は大きく異なる。「重力式」は、主に、中・底性魚の蝟集に効果があり、「浮体式」は回遊性の魚類に効果がある事が知られている。また、特許文献１に示すように、浮体式と重力式とを組合わせ、海面の波動運動によって動揺する浮体によってプランクトンの発生を促し、魚類の良好な棲息環境をつくる人工魚礁についても提案されている。
【０００７】
【特許文献１】特開昭５６−２３８２４号公報（第１図参照）
【０００８】
【発明が解決しようとする課題】
ところで、図９に示す垂下式イワガキ養殖方法においては、養殖期間中にムラサキイガイ、ホヤ類、フジツボ類、海綿類等の多くの付着生物が採苗器やロープに付着していた。これらの付着生物は、イワガキの餌となる植物プランクトンを横取りする事からイワガキの成長生残に悪影響を及ぼしている。したがって、生産者は、養殖期間中に、これら悪影響を及ぼす付着生物の除去（清掃）などのメンテナンスが必要となり、その費用が大きな負担となっていた。
【０００９】
また、従来の筏や延縄等の養殖方法では、出荷時の引き揚げ作業の際、成長したイワガキの重量に、前記「付着生物」と「おもり」の重量が加わり、その引き揚げ作業が重労働になっている。
【００１０】
さらに、従来の筏や延縄等の養殖施設では、施設の耐久性上、波の影響が少ない内湾域で行なうことが多いが、イワガキの場合には、その生態上、外洋域であっても養殖が可能である。外洋域での養殖を実現させるためには、重力式消波堤や浮消波堤等を設置し、養殖場所を造成する必要がある。しかし、このような施設の造成にかかる費用を考えると、イワガキ養殖としてはコストがかかり過ぎ、産業上成り立たない。
【００１１】
また、イワガキの養殖域として、外洋域であっても養殖が可能であるが、従来の筏や延縄等の養殖施設をそのまま外洋域に設置すると、施設が海面上にあるため、漁場を占有することになり、漁船や作業船等の走行を制限させ、船舶の航行安全上からも支障をきたすことになる。
【００１２】
そこで、本発明は、主にイワガキ等の貝類の養殖に最適で、設置海域を外洋域まで広げつつ引き揚げ作業も比較的容易に行い得、かつ低コスト化も図り得る養殖施設およびその養殖方法の提供を目的としている。
【００１３】
【課題を解決するための手段】
上記目的を達成するため、本発明は、特許文献１に示すような浮体式と重力式とを組合わせ、かつ浮体部分については、特許文献１とは異なる養殖施設部とすることにより、イワガキ等の水産生物の養殖施設とすることを発案したものである。
【００１４】
すなわち、本発明においては、重力式魚礁部と、これに連結された上側の浮体式養殖施設部とからなることを特徴とする養殖施設を提供するものである。
【００１５】
上記構成によると、重力式魚礁部において中・底性魚の蝟集効果があり、また、浮体式養殖施設部においては、浮体部分の揺動運動によって魚貝類などの水産生物の餌となるプランクトンの発生を促進させ、養殖魚介類の成長を促進できる養殖環境を提供することができる。加えて、浮体式養殖施設部には回遊性魚類の蝟集効果が付加され、魚介類の良好な棲息環境を作り出すことができる。
【００１６】
本出願人の試験結果によると、浮体式イワガキ養殖施設ではイワガキ自身にワレカラ等の小型甲殻類や多毛類が棲み着くとの知見が得られたが、これは浮体養殖施設部が魚貝類などの水産生物の餌料場となり、餌料培養機能の役目を果たしていると考えられる。また、浮体式養殖施設部は浮魚礁機能も有すると考えられ、回遊性魚類の増集も期待できる。従って、本養殖施設の設置により、高価な餌料培養施設を付加することなく多機能な養殖施設が造成されるものと考えられる。
【００１７】
ここで、浮体式養殖施設部は、重力式魚礁部に固定された形式であってもよいが、浮体式養殖施設部と重力式魚礁部とを着脱自在に連結する連結手段が設けられた養殖施設とすれば、イワガキなどの貝類を回収する際に、浮体式養殖施設のみを引き揚げて回収することができ、養殖作業が容易に行える。
【００１８】
連結手段は、浮体式養殖施設部の下端に形成された係止部と、該係止部を着脱自在に連結するよう前記重力式魚礁部に形成された係止受部とから構成されたものを例示できる。
【００１９】
また、浮体式養殖施設部としては、養殖ロープと、これに間隔をおいて取り付けられた複数の採苗器と、前記ロープの上端に取り付けられた浮力体と、前記ロープの下端に形成され前記連結手段の一部を構成する係止部とから構成されたものを例示できる。これにより、イワガキなどの貝類の養殖に適した養殖施設部を提供できる。なお、採苗器は、天然採苗および人工採苗のいずれにおいても使用されるものである。また、採苗器は、本来、種苗生産機能を備えたものをいうが、本発明では、本来の種苗生産機能を有するものに限るものではなく、これを成長させる飼育機能を有する養殖基質をも含むものである。
【００２０】
この浮体式養殖施設部は中層域の水深に設置するのが最適である。従来の「垂下式」養殖施設では、養殖期間中に多くの付着生物が付着するが、本出願人の試験結果によると、水面下５ｍ以深になると、その付着量が大きく減少するとの知見が得られている。水深を５ｍ以深の中層域に設置する場合、ロープ垂下式では難しいので、海底面から簡易な浮体を用いてロープを立ち上げ最適水深にイワガキ採苗器を配置できる浮体式養殖施設部が最適である。これにより、イワガキの餌料である植物プランクトンを安定して供給することができ、付着生物も減少して重量の軽減が可能となるため、回収時の引き揚げ作業も比較的容易となる。さらに、浮体式養殖施設部が中層域に設置され、海面上に無いことから、漁船や作業船等の走行に支障をきたすこともなく、海面を有効に利用できる上、景観上も優れている。
【００２１】
また、重力式魚礁部を含む養殖施設は沿岸の外洋域に沈設されるのが望ましい。従来の「垂下式」養殖方法では外洋域での養殖が困難であったが、浮体式養殖施設部を重力式魚礁部と連結することで安定した養殖施設となり、海面利用範囲が広がることになる。この重力式魚礁部としては、加工性に優れている鋼製の人工魚礁を利用することが好ましいが、これに限定されるものではなく、例えばコンクリートブロック魚礁や廃船を利用した重力式魚礁であってもよい。
【００２２】
また、浮体式養殖施設における養殖対象生物は、水産生物であれば、特に限定されるものではないが、イワガキ等の貝類が好適であり、特に、棲息域が外洋側の岩礁域であるイワガキの養殖に最適である。
【００２３】
また、本発明においては、沿岸の外洋域に重力式魚礁部とその上側の浮体式養殖施設部とからなる養殖施設を沈設し、浮体式養殖施設部を中層域の水深に設置して対象水産生物を養殖することを特徴とする養殖方法を提供することができる。
【００２４】
また、沿岸の外洋域に重力式魚礁部とその上側の浮体式養殖施設部とからなる養殖施設を沈設し、浮体式養殖施設部を重力式魚礁部に対して着脱自在に連結し、浮体式養殖施設部で水産生物を養殖後に、該浮体式養殖施設部を回収する養殖方法も提供できる。
【００２５】
上記養殖方法において、養殖対象生物をイワガキ等の貝類とし、浮体式養殖施設部に複数の採苗器と浮力体とを備え、採苗器に付着させた稚貝を飼育し、稚貝の成長後に浮体式養殖施設部の係止部を重力式魚礁部の係止受部から取り外し、浮力体の浮力により浮体式養殖施設部を海面に浮き上がらせて回収する養殖方法を採用すれば、収穫時の引き揚げ作業が容易に行える。
【００２６】
イワガキ養殖を例にとると、イワガキの出荷はその成長を確認して行なうが、２年〜４年程度で出荷できるようになる。この養殖施設での出荷時の引揚げ作業は、特殊な作業船でなく小型漁船等で作業でき、浮体式養殖施設部を取り外す「潜水作業者」とそれを回収する「船上作業者」の最低２名で操業が可能となる。ここでは、潜水作業者が人工魚礁との連結部を切り離す事で、自動的に養殖施設部が海面上に浮き上がり、それを船上作業者が回収することになる。この際、従来の養殖方法と比べて、付着生物が軽減されていることや安定用のおもりが無いことから、その引き揚げ作業も容易となる。
【００２７】
さらに、重力式魚礁部と接続することで、人工魚礁に蝟集した魚類が採苗器やロープ等に付着する生物を捕食すると考えられ、これにより、イワガキ養殖施設の重量軽減を手助けするものと考えられる。
【００２８】
このような浮体式養殖施設部と重力式魚礁部との連結は陸上のみならず海中で行うこともできる。特に、浮体式養殖施設部を回収後に養殖貝類を収穫し、収穫後に採苗器に稚貝を付着させた浮体養殖施設部を海中に沈めて再び重力式魚礁部に連結することができる。
【００２９】
なお、浮体式養殖施設部を海中で重力式魚礁部に連結する際に、下端に浮力調整用の重りを取り付けて作業を行えば、養殖施設部を浮力体の浮力に抗して重力式魚礁部まで容易に沈めることができる。
【００３０】
【発明の実施の形態】
以下、本発明の実施形態を図面に基づいて説明する。図１は浅海域に設置された人工魚礁機能を有するイワガキ養殖施設の概要を示す正面図、図２は同じくイワガキ養殖施設の概要斜視図、図３は重力式魚礁部の平面図、図４は同じくその正面図である。
【００３１】
図に示すように、養殖施設１は、重力式魚礁部２と、その上側に連結手段３を介して着脱自在に接続される浮体式養殖施設部４とから構成されている。
【００３２】
本施設１は、設置水域の拡大利用を図るため、沿岸の外洋域に沈設されるものであるが、重力式魚礁部２と浮体式養殖施設部４との接続部分の水深位置が重要である。つまり、潜水作業者が長時間潜水可能な水深帯を考慮し、接続部の水深が約１０ｍになるように設定するのが好ましい。
【００３３】
また、浮体式養殖施設部４は、ムラサキイガイ、ホヤ類、フジツボ類、海綿類等の多くの付着生物が減少する水深であって、大型漁船や作業船の走行に支障はない水域に設置するのが好ましい。
【００３４】
さらに、浮体式養殖施設部４は、試験研究等で出荷時の採苗器１枚当りの空中重量が確認されており、引揚げる際に重労働にならない重量を想定し、５枚程度（引き揚げ重量で約２５ｋｇｆ）が良いとされる。また、本出願人の試験結果から、イワガキの棲息域としては水深が５ｍ〜１０ｍ（好ましくは６〜８ｍ）の中層域がよいことも知られている。本実施形態では、これらの知見に基づいて重力式魚礁部２と浮体式養殖施設部４の寸法が設定されている。
【００３５】
重力式魚礁部２は、Ｈ型鋼、Ｉ型鋼あるいはＬ型鋼２ａを四角枠状にブロック化し、これら複数のブロックを溶接固定して全体として直方体状に成形した鋼製の人工魚礁であって、その上面側の型鋼には連結手段３の一部を構成する複数の係止受部６が間隔をおいて溶接固定されている。
【００３６】
この重力式魚礁部２は、工場から運搬する際に比較的地元で調達しやすい１０ｔｏｎトラックで運搬可能な寸法（例えば、４．８ｍ×２．４ｍ）から決められており、その高さは後述する設置水域の水深（約１２ｍ程度、図１参照）を考慮して、２．４ｍ程度に設定されている。但し、生産効率などの観点から広くニーズに対応できるように、最寄岸壁でブロックを連結し、大型化できるようにしている。また、魚礁部２の高さは２．４ｍに限定されるものではなく、設置水域の水深に応じて、潜水作業者２０の作業性などを考慮して適宜選定すればよい。
【００３７】
浮体式養殖施設部４は、直径１０ｍｍ程度の養殖ロープ１０と、これに間隔をおいて取り付けられた複数の採苗器１１と、前記ロープ１０の上端に取り付けられた浮力体１２と、前記ロープ１０の下端に形成され前記連結手段３の一部を構成する係止部７とから構成され、これらが魚礁部２に間隔をおいて多数係留されている。
【００３８】
養殖ロープ１０の長さは、本施設１を水深１２ｍの海底に設置するものとすりと、ロープ上端に取り付ける浮力体１２の位置（水深５ｍ以深）と魚礁部２の高さから計算して、４〜５ｍ程度のものを選定する。但し、養殖ロープ１０の長さは、特に限定されるものではなく、設置水深に応じて適宜選定すればよい。
【００３９】
採苗器１１は、図９に示す従来の垂下式ロープに取り付ける場合と同様なものを用いて養殖ロープに取り付ける。一つのロープに取り付ける複数の採苗器１１同士の間隔は３０ｃｍ〜１ｍ程度（本実施形態では５０ｃｍ）が適当である。３０ｃｍよりも小さいと稚貝の成長に伴い、養殖貝同士が接触して大きな塊となり、引き揚げ作業時に支障を来たす。また、１ｍよりも大きいと、棲息域（５〜１０ｍ、好ましくは６〜８ｍ）の関係で採苗器１１の枚数が減少することになり、生産性が低下することになる。採苗器１１は、上記棲息域の関係および引き揚げ時の作業性を考慮して一つのロープ当たり５枚程度が適当である。
【００４０】
浮力体１２は、水深の中層域に設置するため耐圧ブイから構成される。浮力体１２の浮力は、収穫時のロープ１本当りのイワガキ重量（空中重量で約２５ｋｇｆ、海中での重量約８ｋｇｆ）を想定して、その重量から設計する。浮力体１２の設置水深は、船舶の航行安全上および付着生物の低減化を図る観点から、海面下５ｍ以深に設定するのが好ましい。
【００４１】
図５は連結手段の概要説明図、図６は連結手段の側面図、図７は同じくその正面図である。これらの図に示すように、連結手段３は、ロープの下端に形成されたリング状の係止部７と、該係止部７を着脱自在に連結可能に魚礁部２に形成されたフック上の係止受部６とから構成されている。
【００４２】
リング状の係止部７は、ロープの下端をＵ字上に折り返し、折り返し端部とロープ本体とをビニールホース等の合成樹脂製の保護外皮８で覆って同時に止め、また、折り返し部にできたリング状の係止部７にもビニールホース等の合成樹脂製保護外皮８ａを嵌め込み、係止受部６との摩耗による損傷を防止できるようになっている。
【００４３】
係止受部６は、図６および図７に示すように、魚礁部２に溶接された鋼材を逆Ｕ字状に折曲げ、さらにその先端を上方にＵ字状に折曲げて形成される。そして、基端の逆Ｕ字部６ａの折曲方向と先端のＵ字部６ｂの折曲方向を互いに直交させることで、リング状の係止部７が養殖中に潮流などの影響で係止受部６から外れるのを防止できるようになっている。
【００４４】
浮体式養殖施設部４の連結個数は、回収時の作業性を考慮して互いに８０ｃｍ程度の間隔で連結されるが、隣り合ったロープ同士が絡まないように浮体上部と中間部に同様のロープ１０ａで着脱自在に連結するようにしてもよい。このようにすれば、万一、一つの浮体施設部が外れても、その流失を防止することができる。
【００４５】
図８は養殖施設１を利用した浮体式養殖施設部４の回収・再設置状況を示す概略図であり、同図（ａ）は回収時の状況を、同図（ｂ）は再設置時の状況を示している。図に示すように、本施設１は、沿岸の外洋域の水深約１２ｍの海底に設置したもので、重力式魚礁部２には、中・底性魚が蝟集し、浮体式イワガキ養殖施設部４では、潮流などにより海底から上昇する養分により植物プランクトンが発生しやすく、これを餌とするイワガキの成育が促進される。
【００４６】
浮体式養殖施設部４の設置水深が５ｍ以下であるため、採苗器１１に付着しやすいムラサキイガイ、ホヤ類、フジツボ類、海綿類等の付着生物が低減し、また、下層の魚礁部２に棲息する魚類が採苗器１１に付着する付着生物を餌として除去するので、イワガキの成長が促進するものと考えられる。したがって、イワガキの清掃などのメンテナンスも不要となり、養殖コストの低減に繋がる。また、浮魚礁機能も有すると考えられ、回遊性魚類の増集も期待できる。
【００４７】
イワガキの回収は、図８（ａ）に示すように、潜水作業者２０が養殖ロープ１０の下端にあるリング状の係止部７をフック状の係止受部６から取り外す。養殖ロープ１０同士を係留ロープ１０ａで連結している場合は、係留ロープ１０ａを取り外してから、係止部７を取り外す。そうすると、浮力体１２の浮力により、浮体養殖施設部４が海面上まで浮き上がり、回収船２１に容易に回収することができる。したがって、イワガキの回収にあたっては、回収船２１上の作業者２３と潜水作業者２０の最低２名で作業が行える。
【００４８】
浮体式養殖施設部４は回収後に養殖イワガキを収穫し、収穫後の採苗器１１にイワガキ稚貝を付着させた浮体養殖施設部４を再び重力式魚礁部２に再設置することができる。この際、図８（ｂ）に示すように、潜水作業者２０が作業船２１から潜り、養殖施設部４の係止部７を重力式魚礁部２の係止受部６に係止する。この浮体式養殖施設部４を海中で重力式魚礁部２に連結する際に、ロープ下端に浮力調整用の重り２４を取り付けて作業を行うと、浮力体１２の浮力に抗して、養殖ロープ１０を容易に重力式魚礁部２まで沈ませることができ、作業性が向上する。
【００４９】
なお、本発明は上記実施形態に限定されるものではなく、本発明の範囲内で修正・変更を加えることができるのは勿論である。例えば、上記実施形態ではイワガキの養殖施設について説明したが、イワガキに限らず、イタヤガイ、ホタテガイ、マガキなど、他の二枚貝類やマボヤ、海藻類など、他の水産生物の養殖においても本発明を適用できる。また、浮体式養殖施設部は、上記実施形態に限定されるものではなく、少なくとも浮力体が存在するものであればよい。また、連結手段の係止部および係止受部の構成も上記実施形態に限定されるものではない。
【００５０】
【発明の効果】
以上の説明から明らかな通り、本発明によると、沿岸の外洋域に重力式魚礁部とその上側の浮体式養殖施設部とからなる養殖施設を沈設することにより、設置海域の利用範囲を広げることができ、また、重力式魚礁部による蝟集効果と、浮体式養殖施設部による本来の養殖効果のみならず回遊性魚類の蝟集効果も期待でき、これらの相乗効果により効果的な養殖・増殖施設を提供することができる。
【００５１】
また、浮体式養殖施設部を水深の中層域に設置したので、付着生物が低減でき、イワガキ等の養殖対象水産生物の餌料である植物プランクトンを安定して供給することができると共に、回収時の引き揚げ作業も比較的容易に行える。さらに、浮体式養殖施設部を中層域に設置したので、漁船や作業船等の走行に支障をきたすこともなく、海面を有効に利用することができる。
【図面の簡単な説明】
【図１】本発明の実施形態であるイワガキ養殖施設の正面図
【図２】同じくイワガキ養殖施設の概要斜視図
【図３】重力式魚礁部の平面図
【図４】図３の正面図
【図５】連結手段の概要説明図
【図６】連結手段の側面図
【図７】連結手段の正面図
【図８】（ａ）は養殖施設を利用した回収時の概要図、（ｂ）は同じく再設置時の概要図
【図９】従来のイワガキ養殖施設の概要図
【符号の説明】
１    養殖施設
２    重力式魚礁部
３    連結手段
４    浮体式養殖施設部
６    係止受部
７    係止部
１０    養殖ロープ
１１    採苗器
１２    浮力体
２０    潜水作業者
２１    作業船（回収船）
２３    作業者
２４    重り
【図１】
2004222650.tif 000003
【図２】
2004222650.tif 000004
【図３】
2004222650.tif 000005
【図４】
2004222650.tif 000006
【図５】
2004222650.tif 000007
【図６】
2004222650.tif 000008
【図７】
2004222650.tif 000009
【図８】
2004222650.tif 000010
【図９】
2004222650.tif 000011